(57)【要約】      （修正有）【課題】正方形枠体の変形や鉄線材の錆を防止することができる、帆立貝の稚貝を中間育成若しくは本育成するために使用するホタテ養殖篭を提供する。【解決手段】ホタテ養殖篭１は、ロの字状に形成された正方形枠体２と、前記正方形枠体２のロの字状の内四隅角に×の字状の先端をそれぞれ接合した張り３と、前記正方形枠体２を包被し、垂下展開時に正方形枠体２の四隅と編地頂部とを結ぶ編地面が四角錐状に緊張展開されるように角目編成された編地４とからなる。前記正方形枠体２は比較的多重で且つ強剛な鉄線材から形成され、前記正方形枠体２のロの字状の内隅角に同様に鉄線材から形成された×の字状の張り３先端をそれぞれ溶接により接合したものであり、水平方向に段差が形成されない。【選択図】図１
0003118447.tif 000002
【実用新案登録請求の範囲】
【請求項１】
ロの字状に形成された正方形枠体と、前記正方形枠体のロの字状の内四隅角に×の字状の先端をそれぞれ接合した張りと、前記正方形枠体を包被し、垂下展開時に正方形枠体の四隅と編地頂部とを結ぶ編地面が四角錐状に緊張展開されるように角目編成された編地とからなることを特徴とするホタテ養殖篭。
【請求項２】
前記×の字状の張りは、１本の鉄線材の両側から他方の鉄線材を直交するように溶接したことを特徴とする請求項１記載のホタテ養殖篭。
【請求項３】
前記正方形枠体及び張りを黄色に着色したことを特徴とする請求項１又は２記載のホタテ養殖篭。
【請求項４】
前記正方形枠体及び張りにＰＥ軟性樹脂を高密度溶着被覆したことを特徴とする請求項１又は２記載のホタテ養殖篭。
【考案の詳細な説明】
【技術分野】
【０００１】
本考案は、帆立貝の稚貝を中間育成若しくは本育成するために使用するホタテ養殖篭に関する。
【背景技術】
【０００２】
従来、図４に示すように、ホタテの養殖篭に使用される正方形枠体Ａは比較的多重で且つ強剛な鉄線材若しくは耐水被覆層が形成された鉄線材Ｂを適宜大きさの正方形状に成形したうえ、その端部相互を係合曲折させて曲折連結Ｃさせ、更に補強のために鉄線材若しくは耐水被覆層が形成された鉄線材からなる補強材Ｄがその中央で相互に直交して交差部Ｅが形成されるよう、対向する正方形枠体Ａの相互間にそれぞれの端部を曲折固定Ｆさせた構成のものである。
しかし、従来の田の字型の正方形枠体では、被覆のないところの鉄線材の錆や正方形枠体の変形、また養殖篭洗浄時の網地の破損が問題となっていた。
さらに、枠体の変形により養殖篭が傾き、ホタテが一方向に寄り重なって窒息死したり、貝同士がぶつかり合って欠殻が生じ、成長が止まったり変形貝となって販売できない等の悪影響をおよぼす。
【０００３】
【特許文献１】特開２００１−２０４２９５号公報
【考案の開示】
【考案が解決しようとする課題】
【０００４】
そこで、本考案は、正方形枠体の変形や鉄線材の錆を防止することができる、帆立貝の稚貝を中間育成若しくは本育成するために使用するホタテ養殖篭を提供するものである。
【課題を解決するための手段】
【０００５】
本考案のホタテ養殖篭は、ロの字状に形成された正方形枠体と、前記正方形枠体のロの字状の内四隅角に×の字状の先端をそれぞれ接合した張りと、前記正方形枠体を包被し、垂下展開時に正方形枠体の四隅と編地頂部とを結ぶ編地面が四角錐状に緊張展開されるように角目編成された編地とからなるものである。
前記×の字状の張りは、１本の鉄線材の両側から他方の鉄線材を溶接したものである。
本考案のホタテ養殖篭は、前記正方形枠体及び張りを黄色に着色したものである。
本考案のホタテ養殖篭は、前記正方形枠体及び張りにＰＥ軟性樹脂を高密度溶着被覆したものである。
【考案の効果】
【０００６】
本考案のホタテ養殖篭によれば、正方形枠体及び張りを溶接により固定するため、水平方向に段差がなく、収納時にかさばらず、作業性がよく、後片付けの問題が軽減し、且つ作業時に網地が引っ掛からないため破網がない。
本考案のホタテ養殖篭によれば、×の字状の張りとしたことで、正方形枠体が変形しなくなり、海中での安定性が向上し、貝の成長促進と増収が図れ、また張りの長さが従来の田の字型と比べ長いので重量が増し、海中での安定性が向上する。
本考案のホタテ養殖篭によれば、正方形枠体及び張りを黄色に着色することにより、識別し易くなり作業が円滑になり、濃い色に比べ光の反射率が高く海中での付着物が少ない。
本考案のホタテ養殖篭によれば、正方形枠体及び張りを溶接後、加熱してＰＥ軟性樹脂を高密度溶着被覆するため、耐錆効果が大きい。
【考案を実施するための最良の形態】
【０００７】
以下、本考案の一実施例を図面に基づいて説明すると、
図１に示すように、ホタテ養殖篭１は、ロの字状に形成された正方形枠体２と、前記正方形枠体２のロの字状の内四隅角に×の字状の先端をそれぞれ接合した張り３と、前記正方形枠体２を包被し、垂下展開時に正方形枠体２の四隅と編地頂部とを結ぶ編地面が四角錐状に緊張展開されるように角目編成された編地４とからなる。
なお、垂下綱５は、前記養殖篭１の正方形枠体２の×の字状の張り３の交差部６に結縛され、前記ホタテ養殖篭１を垂下展開状態に保持するように編地４の頂部に結縛され、一定長さの垂下綱５に所定間隔で多数の前記養殖篭１が連段される。
図１の網地４及び垂下綱５を除去した図２に示すように、前記正方形枠体２は比較的多重で且つ強剛な鉄線材から形成され、前記正方形枠体２のロの字状の内隅角に同様に鉄線材から形成された×の字状の張り３先端をそれぞれ溶接により接合したものであり、水平方向に段差が形成されない。
前記張り３は、前記正方形枠体２の対角線長さの１本の鉄線材７と、略１/２の対角線長さの２本の鉄線材８，８とからなり、１本の鉄線材７の両側から直交するように他方の鉄線材８，８を溶接したものであり、水平方向に段差が形成されない。
図３に示すように、前記正方形枠体２及び張り３が溶接により接合されたら、加熱して黄色に着色したＰＥ軟性樹脂を表面に高密度溶着被覆する。
【０００８】
このようにして形成されたホタテ養殖篭１は、正方形枠体２及び張り３を溶接により固定するため、水平方向に段差がなく、収納時にかさばらず、作業性がよく、後片付けの問題が軽減し、且つ作業時に網地が引っ掛からないため破網がない。
また、×の字状の張り３としたことで、正方形枠体２が変形しなくなり、海中での安定性が向上し、貝の成長促進と増収が図れ、また張り３の長さが従来の田の字型と比べ長いので重量が増し、海中での安定性が向上する。
さらに、正方形枠体２及び張り３を黄色に着色することにより、識別し易くなり作業が円滑になり、濃い色に比べ光の反射率が高く海中での付着物が少ない。
また、正方形枠体２及び張り３を溶接後、加熱してＰＥ軟性樹脂を表面に高密度溶着被覆するため、耐錆効果が大きい。
【図面の簡単な説明】
【０００９】
【図１】本考案のホタテ養殖篭の斜視図である。
【図２】正方形枠体及び張りの斜視図である。
【図３】正方形枠体及び張りの平面図である。
【図４】従来の田の字型養殖篭の平面図である。
【符号の説明】
【００１０】
１  ホタテ養殖篭
２  正方形枠体
３  張り
４  網地
５  垂下綱
６  交差部
７  鉄線材
８  鉄線材
【図１】
0003118447.tif 000003
【図２】
0003118447.tif 000004
【図３】
0003118447.tif 000005
【図４】
0003118447.tif 000006